(57)【特許請求の範囲】
【請求項１】
吸引口から含塵空気が流入する入口室、フィルターが設置される集塵室および入口室と集塵室とは該フィルターを取り付けるプレートにより仕切られるとともに該フィルターにより塵が捕集された空気が流入する清浄室に区画されるハウジングと、
前記清浄室側に配設される払落し装置と、
前記吸引口の内側に前記入口室と集塵室とを仕切って配置される整流機構とを備える集塵機であって、
前記整流機構が、パンチ孔を穿設したパンチ板と、該パンチ板の下部にパンチ孔のない平板とを組み合わせた整流板を対向して配置させてなり、該整流機構の上端部と前記プレートの内壁面とのあいだに前記含塵空気が流入する開口部を設けて配置されてなる集塵機。
【請求項２】
前記平板の下端部に前記入口室側に延長する傾斜板が設けられてなる請求項１記載の集塵機。
【発明の詳細な説明】
【技術分野】
【０００１】
本発明は集塵機に関する。さらに詳しくは、送風機により加工機、たとえばプラズマ切断機からハウジングに吸引された塵を含む空気（含塵空気）をフィルターで捕集する集塵機において、払落し装置によりフィルターから剥離された塵が流入した含塵空気によって再びフィルターに付着することを防止するために、ハウジング内の含塵空気を上方に多く流すことによりハウジング内の流れを下降気流化させる整流機構を備える集塵機に関する。
【背景技術】
【０００２】
従来より、ハウジング（機体）内を含塵空気が流入する入口室とフィルターが設置されている集塵室とに仕切る整流機構が設置された集塵機がある。
【０００３】
この集塵機の整流機構の一例として、図６〜８に示されるように、ハウジング１０１の入口室Ｓ１に吸引した含塵空気をハウジング１０１内に分散整流効果を持たせるために、全面にパンチ孔１０２aを穿設した一対の整流板１０２から構成されているものがある。
【０００４】
この集塵機では、吸引口１０１ａから入口室Ｓ１に吸引された含塵空気を整流板１０２を通して集塵室Ｓ２へ流入し、塵はフィルター１０３で捕集され、清浄空気がフィルター１０３を通して集塵機の吐出口１０１ｂから排気される。そして、フィルター１０３に捕集された塵は、プレート１０４により仕切られた清浄室Ｓ３に設けられる払落し装置１０５によってフィルター１０３から剥離され、ハウジング１０１の下部に設けられるホッパー１０６に回収される。しかし、プラズマ切断機より発生する塵は細粒子および軽比重であるため、ホッパー１０６へ落下するまでに時間を多く要する。
【０００５】
従来では、入口室Ｓ１の下端部の開口Ｓ１ａが大きい構造となっているため、含塵空気は整流板１０２の孔１０２ａにより集塵室Ｓ２にあるフィルター１０３へ均一に流れるが、同時に下端部開口Ｓ１ａを経て整流板１０２の下方から集塵室Ｓ２へ回り込む流れもあり、図８に示されるようにこの流れが集塵室Ｓ２内で上昇気流Ｙ１となる。その上昇気流Ｙ１によって、集塵室Ｓ２で一旦払い落とされた細かい塵は、ホッパー１０６へ落下する前に気流に乗り再びフィルター１０３へ付着する現象が起こる（以後、この現象を再付着と呼ぶ）。この再付着のために、従来の集塵機では、集塵性能を低下させるという問題がある。
【０００６】
他の集塵機として、パンチ孔を穿設した整流板と天井板、およびこの整流板の下側には、対向するハウジングの内壁面に向けて次第に傾斜する傾斜板からなる整流機構を備えているものがある(たとえば、特許文献１参照)。
【０００７】
この他の集塵機においても、塵が細かい塵の場合には、前述の上昇気流による再付着が発生するおそれがある。
【先行技術文献】
【特許文献】
【０００８】
【特許文献１】実開平７−３９９１５号公報
【発明の概要】
【発明が解決しようとする課題】
【０００９】
そこで、本発明は、叙上の事情に鑑み、細粒子や軽比重の塵の場合でも、フィルターへの再付着を防止させる整流機構により、集塵性能を低下させることなく運転できる集塵機を提供することを目的とする。
【課題を解決するための手段】
【００１０】
本発明の集塵機は、吸引口から含塵空気が流入する入口室、フィルターが設置される集塵室および入口室と集塵室とは該フィルターを取り付けるプレートにより仕切られるとともに該フィルターにより塵が捕集された空気が流入する清浄室に区画されるハウジングと、前記清浄室側に配設される払落し装置と、前記吸引口の内側に前記入口室と集塵室とを仕切って配置される整流機構とを備える集塵機であって、前記整流機構が、パンチ孔を穿設したパンチ板と、該パンチ板の下部にパンチ孔のない平板とを組み合わせた整流板を対向して配置させてなり、該整流機構の上端部と前記プレートの内壁面とのあいだに前記含塵空気が流入する開口部を設けて配置されてなることを特徴としている。
【発明の効果】
【００１１】
本発明によれば、整流機構の上端部とプレートの内壁面とのあいだに設けられる開口部から含塵空気を集塵室の上方に流入させることにより、該集塵室に流入した含塵空気を下降気流化させることができるため、払落し装置によりフィルターから剥離された塵が前記整流機構の下方からの気流によって再びフィルターに付着することを防止できる。
【００１２】
これにより、フィルターの目詰りの進行を抑制させることができるため、集塵性能を低下させることなく運転を継続することができる。
【図面の簡単な説明】
【００１３】
【図１】本発明の一実施の形態にかかわる集塵機の正面図である。
【図２】図１に示す集塵機の側面図である。
【図３】図１のＩ−Ｉ線に沿った断面図である。
【図４】本実施の形態における整流機構を説明するために、入口室に流入した含塵空気の流れを示す図である。
【図５】他の実施の形態における整流板を説明する図である。
【図６】従来の集塵機の側面図である。
【図７】従来の集塵機の縦断面図である。
【図８】従来の集塵機の整流機構の作用を説明するために、入口室に流入した含塵空気の流れを示す図である。
【発明を実施するための形態】
【００１４】
本発明の集塵機は、加工機として、たとえばプラズマ切断機が発生する塵を捕集する集塵機や、フューム系の塵が発生する設備に対して適用することができる。
【００１５】
以下、添付図面に基づいて本発明の集塵機を説明する。本発明の一実施の形態にかかわる集塵機は、図１〜３に示されるように、基台１に支持されるとともに下部にホッパー２が設けられたハウジング３と、該ハウジング３に取り付けられた払落し装置４および整流機構５とを備えている。また、この集塵機には、加工機から発生する塵を空気とともに吸引する送風機（図示せず）などが接続されている。
【００１６】
前記ハウジング３は、吸引口３ａから塵を含む空気（含塵空気）が流入する入口室６、該入口室６の両側にフィルター７が設置される集塵室８および該フィルター７により塵が捕集された空気が流入する清浄室９に区画されている。この清浄室９は、該フィルター７を取り付けるプレート１０により前記入口室６と集塵室８とから仕切られている。そして、前記清浄室９側には払落し装置４が設置されている。この払落し装置４は、ブローチューブ１１、圧縮エアタンク、弁などから構成されるが、本実施の形態では、ブローチューブ１１だけを図示している。また、このブローチューブ１１は、集塵室８に吊り下げられたフィルター７の列に沿って配列されている。
【００１７】
前記整流機構５は、前記吸引口３ａの内側、つまりハウジング３の内壁面に前記入口室６と集塵室８とを仕切るように配置されている。この整流機構５は、該整流機構５の上端部と前記プレート１０の内壁面１０ａとのあいだに前記含塵空気が流入する開口部Ｓが設けられるように配置されている。本実施の形態における整流機構５は、パンチ孔２１ａを穿設したパンチ板２１と、該パンチ板２１の下部にパンチ孔のない平板２２とを組み合わせた一対の整流板２３で構成されている。
【００１８】
この整流板２３の上端部２３ａは、前記吸引口３ａの開口位置（上端位置）より上方の位置にする。これにより、含塵空気の直接的な衝突の影響を減少させることができる。
【００１９】
また、前記一対の整流板２３の下部は、前記入口室６の下端部を完全に塞いでしまうと、入口室６で気流の変化により振り落とされた塵が堆積してしまい、ホッパー２へ導くことができないため、堆積しない程度の開口としている。
【００２０】
さらに、前記平板２２の下端部に前記入口室６側に延長する傾斜板２４を設けることもできる。この傾斜板２４を設けることにより、前記入口室６の下端部の開口面積を減少させることができるため、含塵空気の下流が抑えられる。
【００２１】
なお、図４における矢印Ｙは、吸引口３ａより流入した含塵空気の流れを示している。吸引口３ａより流入した含塵空気は、正面横に位置する中間部にあたるパンチ板２１に向かうことになるが、上部が開口部Ｓになっているため、多くの気流は開口部Ｓへ流れ込み、その正面に位置するフィルター７（特にフィルター７の上部）は多くの塵を捕集することになる。しかし、フィルター７の上部の目詰りが進行すると含塵空気はフィルター７の中間部や下部への向かうことになり、これが下降気流を生む要因となる。下部は平板２１や傾斜板２４にすることにより、気流を少なくさせ、整流板２３の下方から集塵室８へ回り込む気流を少なくし、上昇気流を抑えている。
【００２２】
したがって、整流板２３は、含塵空気によるフィルター７への直接的な衝突を軽減し、フィルター７に均一に負荷が掛かるように、含塵空気の分散整流効果を有している。
【００２３】
本実施の形態では、含塵空気は吸引口３ａよりハウジング３内の入口室６へ流入し、一部はフィルター７が設置されている集塵室８と入口室６を仕切っている整流板２３に衝突し、粗い塵は衝撃によりシュートの役目をするホッパー２へ落ち、細かい塵は気流に乗って集塵室８へ入りフィルター７で捕集され、払落し装置１１によりホッパー２へ落とされる。フィルター７を通過した清浄空気は、集塵室８と清浄室９を仕切っているプレート１０を通過して、吐出口３ｂより排気される。
【００２４】
なお、本実施の形態における整流板２３は、ハウジング３内に位置決めされて取り付けられるが、この取付け作業に際して、たとえば図５に示されるように、多くの含塵空気が流入可能な大きさの開口部Ｓを確保しつつ、整流板２３の上端部２３ａの両端部に支持部材３１を設けてプレート１０の内壁面１０ａに対する位置決めとすることにより整流板２３の位置決め精度を向上させるとともに、作業時間の短縮を図ることができる。
【符号の説明】
【００２５】
Ｓ      開口部
１      基台
２      ホッパー
３      ハウジング
３ａ    吸引口
３ｂ    吐出口
４      払落し装置
５      整流機構
６      入口室
７      フィルター
８      集塵室
９      清浄室
１０    プレート
１０ａ  プレートの内壁面
１１    ブローチューブ
２１    パンチ板
２１ａ  パンチ孔
２２    平板
２３    整流板
２３ａ  上端部
２４    傾斜板
【図１】
0004780486.tif 000002
【図２】
0004780486.tif 000003
【図３】
0004780486.tif 000004
【図４】
0004780486.tif 000005
【図５】
0004780486.tif 000006
【図６】
0004780486.tif 000007
【図７】
0004780486.tif 000008
【図８】
0004780486.tif 000009